(57)【要約】  ブラシホルダにチョークコイル及びコンデンサを搭載し、ラジオノイズを除去しながら、直流電動機の小型化が可能となる直流電動機を提供する。  ブラシホルダ１４を備え、ブラシホルダ１４は、絶縁材により形成されたブラシホルダベース２０と、整流子１２に給電を行う少なくとも一対のブラシ１５と、ブラシ１５を整流子１２の外周部に摺接させるバネ１６と、ラジオノイズを除去するためのチョークコイル１７及びコンデンサ１８と、を備え、ブラシホルダ１４のチョークコイル１７が設けられている面とは異なる面に、コンデンサ１８が設けられるように直流電動機１を構成する。
2017110420.tif 000002
【特許請求の範囲】
【請求項１】
ブラシホルダを備えた直流電動機であって、
前記ブラシホルダは、
絶縁材により形成されたブラシホルダベースと、
整流子に給電を行う少なくとも一対のブラシと、
前記ブラシを前記整流子の外周部に摺接させるバネと、
ラジオノイズを除去するためのチョークコイル及びコンデンサと、を備え、
前記ブラシホルダの前記チョークコイルが設けられている面とは異なる面に、前記コンデンサが設けられた
ことを特徴とする直流電動機。
【請求項２】
請求項１に記載の直流電動機であって、
前記ブラシホルダの前記ブラシホルダベースの内部に、前記コンデンサの一端と前記チョークコイルの一端とを接続する給電端子を有し、
前記給電端子を前記ブラシホルダの両面に露出させるための開口部が、前記ブラシホルダの前記ブラシホルダベースに設けられ、
前記開口部露出した前記給電端子を介して、前記コンデンサの一端及び前記チョークコイルの一端を接続した
ことを特徴とする直流電動機。
【請求項３】
請求項１または２に記載の直流電動機であって、
前記コンデンサの他端とヨークとを電気的に接続する接続端子が、前記ブラシホルダに設けられた
ことを特徴とする直流電動機。
【請求項４】
請求項３に記載の直流電動機であって、
前記接続端子はバネ機能を備えた爪部を有しており、
前記爪部が前記ヨーク側に向けて径方向の荷重を発生させる
ことを特徴とする直流電動機。
【請求項５】
請求項３に記載の直流電動機であって、
前記接続端子は前記コンデンサ接続部にバネ機能を備えており、
前記バネ機能は前記コンデンサをブラケットに押し付けるように荷重を発生させ、
前記バネ機能によって前記接続端子と前記コンデンサを接続する
ことを特徴とする直流電動機。
【発明の詳細な説明】
【技術分野】
【０００１】
本発明は、直流電動機に関するものである。
【背景技術】
【０００２】
直流電動機では、ブラシと整流子間の接触状態や電流の切り替わりにより、ラジオノイズが発生する。【０００３】
ラジオノイズを除去する方法としては、電動機内部または外部の電源回路上に、チョークコイルまたはコンデンサ、もしくはチョークコイル及びコンデンサの両方を搭載するのが一般的である。【０００４】
チョークコイル及びコンデンサは、ブラシ近傍の電源回路上に配置した方がラジオノイズ除去効果は高くなることから、通常ブラシホルダに搭載される。例えば、特許文献１に記載の、直流電源のプラス電極と第一ブラシ間にチョークコイルが電気的に接続されるとともに、直流電源のマイナス電極と第二ブラシ間にもチョークコイルが電気的に接続され、更にプラス電極とマイナス電極間にコンデンサが電気的に接続される構造が知られている。【０００５】
このようなブラシホルダ構造とすることで、チョークコイル及びコンデンサが形成するフィルタの周波数特性に応じて、直流電動機のラジオノイズは除去される。
【先行技術文献】
【特許文献】
【０００６】
【特許文献１】特開２００７−２６７４４８号公報
【発明の概要】
【発明が解決しようとする課題】
【０００７】
ところで、上記のようにラジオノイズ除去方策を施した直流電動機を、例えば車両に搭載する場合、一般的に車両の搭載スペースには制限があり、直流電動機の小型化が必要不可欠となる。【０００８】
しかし、上記方法ではチョークコイル及びコンデンサをブラシホルダに搭載しているため、ブラシホルダの小型化、更には直流電動機の小型化が困難となる。ブラシホルダ及び直流電動機の小型化のため、例えば容量が小さく小型のチョークコイル及びコンデンサを使用すると、ラジオノイズ除去効果が弱まりノイズが除去できなくなる場合がある。【０００９】
本発明の目的は、ブラシホルダにチョークコイル及びコンデンサを搭載し、ラジオノイズを除去しながら、直流電動機の小型化が可能となる直流電動機を提供することにある。
【課題を解決するための手段】
【００１０】
上記課題を解決するために、例えば特許請求の範囲に記載の構成を採用する。【００１１】
本願は上記課題を解決する手段を複数含んでいるが、その一例を挙げるならば、ブラシホルダを備えた直流電動機であって、前記ブラシホルダは、絶縁材により形成されたブラシホルダベースと、整流子に給電を行う少なくとも一対のブラシと、前記ブラシを前記整流子の外周部に摺接させるバネと、ラジオノイズを除去するためのチョークコイル及びコンデンサと、を備え、前記ブラシホルダの前記チョークコイルが設けられている面とは異なる面に、前記コンデンサが設けられたことを特徴とする。
【発明の効果】
【００１２】
本発明によれば、ラジオノイズを除去するために必要なチョークコイル及びコンデンサを搭載しつつ、直流電動機の小型化が可能となる直流電動機を提供することができる。【００１３】
上記した以外の課題、構成及び効果は、以下の実施例の説明により明らかにされる。
【図面の簡単な説明】
【００１４】
【図１】直流電動機の断面図
【図２】直流電動機分解斜視図
【図３】ブラシホルダ分解斜視図
【図４】ブラシホルダ斜視図（チョークコイル側）
【図５】ブラシホルダ斜視図（コンデンサ側）
【図６】接続端子取り付け断面図（ヨーク挿入前）
【図７】接続端子取り付け断面図（ヨーク挿入後）
【図８】施例のラジオノイズ除去回路構成簡略図
【発明を実施するための形態】
【００１５】
以下、本発明の一実施例によるブラシホルダ構造について図を用いて説明する。
【実施例】
【００１６】
図１は、一般的な直流電動機の構造を示す断面図であり、図２は、本発明の一実施例であるブラシホルダを搭載した直流電動機の分解斜視図である。【００１７】
直流電動機１はモータケースを兼用しながら磁気回路を形成するヨーク２を有しており、ヨーク２の内面には複数個のマグネット３が装着され、更にマグネット３の内面にはマグネット内面と任意の隙間を保持してアーマチャ４が収容されている。アーマチャ４の径方向中央部にはシャフト５を備えており、シャフト５は軸受６及び軸受７を介してヨーク２及びブラケット８に回転自在に支持されている。アーマチャ４はシャフト５にアーマチャコア９及び整流子１２が固定され、アーマチャコア９の周方向外周部に形成された複数のスロット１０間に跨ってコイル１１が巻回されている。整流子１２は樹脂等の絶縁材により筒状に形成され、外周部には導電材からなる複数の整流子片１３を備えており、整流子片１３の一部にはスロット１０間に巻回されたコイル１１が電気的に接合されている。【００１８】
一方、ヨーク２の内部にはブラシホルダ１４が収容されており、ブラシホルダ１４には、整流子片１３に給電を行う少なくとも一対のブラシ１５とバネ１６が配置され、更にラジオノイズを除去するためのチョークコイル１７及びコンデンサ１８が配置されている。ブラシ１５は直流電動機１の外部給電端子１９と電気的に接続され、ブラシホルダ１４に保持されたバネ１６の押し力によって整流子片１３の外周面に摺接されており、整流子片１３を介してコイル１１に給電する構造となっている。【００１９】
図３、図４、図５は、本発明の一実施例であるブラシホルダを示す斜視図である。【００２０】
ブラシホルダ１４は、例えば樹脂等の絶縁材により略円形状に形成されたブラシホルダベース２０に、ブラシ１５を保持するブラシボックス２１及びバネ１６を保持するバネホルダ２２が、一体成形または別部品による組付け等の方法により形成されており、整流子片１３に給電するブラシ１５及びブラシ１５を整流子片１３の外周部に摺接させるバネ１６が各々ブラシホルダベース２０に配置されている。更にラジオノイズを除去するためのチョークコイル１７及びコンデンサ１８がブラシホルダベース２０の異なる面に各々配置されている。【００２１】
ブラシホルダベース２０の内部には、例えばインサートモールド等の方法によりチョークコイル１７及びコンデンサ１８を接続する給電端子２３を有しており、給電端子２３の一部がブラシホルダベース２０のチョークコイル１７取付け面及びコンデンサ１８取付け面の両面に露出するようにブラシホルダベース２０の両面に開口部２４を設けている。【００２２】
本実施例においては、ブラシホルダベース２０の内部に有している給電端子２３と直流電動機１の外部給電端子１９は一体形成としているが、給電端子２３と外部給電端子１９を別部品として接合等によって形成しても良い。【００２３】
チョークコイル１７は、一端をブラシホルダベース２０の開口部２４にて給電端子２３と接続し、もう一端はブラシ１５のリード線２５と接続することで、給電端子２３とブラシ１５はチョークコイル１７を介して電気的に接続され、更に、ブラシ１５と摺接する整流子片１３を介してコイル１１に給電する構造となっている。【００２４】
本実施例ではチョークコイル１７とブラシ１５はブラシホルダベース２０の同一面に配置しているが、チョークコイル１７とブラシ１５をブラシホルダベース２０の異なる面に配置しても良い。【００２５】
コンデンサ１８は、ブラシホルダベース２０のチョークコイル１７を配置している面とは異なる面に配置し、一端をブラシホルダベース２０の開口部２４にて給電端子２３と接続し、もう一端は、ブラシホルダベース２０に固定されている接続端子２６と接続しており、接続端子２６を介してヨーク２と電気的に接続している。【００２６】
図６、図７は、本発明の一実施例であるブラシホルダへ装着した接続端子の取り付け断面図であり、図６はヨーク挿入前の状態、図７はヨーク挿入後の状態を示した図である。【００２７】
接続端子２６は、例えば、銅等の導電材の薄板等を成形し、ヨーク２に接触させるための爪部２７とブラシホルダベース２０への固定部である略谷状成形部２９とコンデンサ１８を接続する屈曲部３０とを備えている。【００２８】
図６に示すように、接続端子２６をブラシホルダベース２０へ固定する方法としては、ブラシホルダベース２０に壁状の突起部２８を設け、接続端子２６に設けた略谷状成形部２９を壁状の突起部２８に嵌めることで固定している。接続端子２６に設けた略谷状成形部２９は、接続端子２６をブラシホルダベース２０に設けた壁状の突起部２８に装着した際、壁状の突起部２８の奥側が狭くなるように成形されており、接続端子２６がブラシホルダベース２０の壁状の突起部２８を挟み込む構造とするとともに、嵌め易く抜け難い工夫がなされている。【００２９】
また、図７に示すように、接続端子２６をヨーク２に接触させるための爪部２７はバネ機能を有し、爪部２７がヨーク２側に向けて径方向の荷重を発生させる構造となっており、ヨーク２内にブラシホルダ１４を配置した際は爪部２７のバネ力により接続端子２６とヨーク２の接触状態を維持するようになっている。一方、接続端子２６のコンデンサ１８接続部にはバネ機能を有した屈曲部３０を設けており、屈曲部３０はコンデンサ１８をブラケット８に押し付けるように荷重を発生させ、屈曲部３０のバネ力によってコンデンサ１８をブラケット８と接続端子２６で挟み込み、接続端子２６とコンデンサ１８を電気的に接続しつつ接触状態を維持するようになっている。【００３０】
図８に本発明の一実施例によるラジオノイズ除去回路構成簡略図を示す。【００３１】
外部給電端子１９のプラス側端子１９ａと第一ブラシ１５ａ間にチョークコイル１７が電気的に接続されるとともに、外部給電端子１９のマイナス側端子１９ｂと第二ブラシ１５ｂ間にもチョークコイル１７が電気的に接続されることで、外部給電端子１９とブラシ１５の間でノイズフィルタを形成している。更に、外部給電端子１９のプラス側端子１９ａと接続端子２６を介したヨーク２間にコンデンサ１８が電気的に接続されるとともに、外部給電端子１９のマイナス側端子１９ｂと接続端子２６を介したヨーク２間にコンデンサ１８が電気的に接続されることで、外部給電端子１９のプラス側端子１９ａとマイナス側端子１９ｂ間に、コンデンサ１８及びヨーク２を介してノイズフィルタを形成している。【００３２】
このように、チョークコイル１７とコンデンサ１８をブラシホルダ１４の異なる面に配置し、ブラシホルダベース２０の内部にチョークコイル１７とコンデンサ１８を接続する給電端子２３を備えることで、ラジオノイズを除去するフィルタを搭載しながら、ブラシホルダ１４の小型化、更には直流電動機１の小型化が可能となる。【００３３】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、実施例の構成の一部について、他の構成の追加・削除・置換をすることが可能である。
【符号の説明】
【００３４】
１…直流電動機、２…ヨーク、３…マグネット、４…アーマチャ、５…シャフト、６，７…軸受、８…ブラケット、９…アーマチャコア、１０…スロット、１１…コイル、１２…整流子、１３…整流子片、１４…ブラシホルダ、１５…ブラシ、１５ａ…第一ブラシ、１５ｂ…第二ブラシ、１６…バネ、１７…チョークコイル、１８…コンデンサ、１９…外部給電端子、１９ａ…プラス側端子、１９ｂ…マイナス側端子、２０…ブラシホルダベース、２１…ブラシボックス、２２…バネホルダ、２３…給電端子、２４…開口部、２５…リード線、２６…接続端子、２７…爪部、２８…突起部、２９…略谷状成形部、３０…屈曲部
【図１】
2017110420.tif 000003
【図２】
2017110420.tif 000004
【図３】
2017110420.tif 000005
【図４】
2017110420.tif 000006
【図５】
2017110420.tif 000007
【図６】
2017110420.tif 000008
【図７】
2017110420.tif 000009
【図８】
2017110420.tif 000010
【国際調査報告】
2017110420.tif 000011
2017110420.tif 000012
2017110420.tif 000013
2017110420.tif 000014